(57)【要約】【課題】  ヘッドホンの装着状況を判定して電力モードを制御すること。【解決手段】  受信電力計測部３０２ｂは、ヘッドホン２００から出力される無線電波の受信電力値を計測する。電力モード制御部は、受信電力計測部３０２ｂで計測したヘッドホン２００から出力される無線電波の受信電力値に基づいて、ヘッドホン２００の使用者への装着状況を判定し、判定結果に基づいて、ヘッドホン２００の電力モードを制御する。【選択図】      図２
2006352523.tif 000002
【特許請求の範囲】
【請求項１】
無線通信手段を備えたヘッドホンと、再生した音声データを前記ヘッドホンへ無線通信を介して送信する再生装置とを備えるヘッドホン制御装置であって、
前記再生装置は、
前記ヘッドホンから出力される無線電波の受信電力値を計測する計測手段と、
前記計測手段で計測した前記ヘッドホンから出力される無線電波の受信電力値に基づいて、前記ヘッドホンの使用者への装着状況を判定する装着状況判定手段とを備えることを特徴とするヘッドホン制御装置。
【請求項２】
請求項１に記載のヘッドホン制御装置において、
前記無線通信手段のアンテナは、電波の指向性が使用者の頭が存在する方向に向くように前記ヘッドホンに搭載され、
前記装着状況判定手段は、前記計測手段で計測した前記ヘッドホンから出力される無線電波の受信電力値が所定の閾値以上である場合には、前記ヘッドホンは使用者によって装着されていない状態であると判定し、前記計測手段で計測した前記ヘッドホンから出力される無線電波の受信電力値が所定の閾値未満である場合には、前記ヘッドホンは使用者によって装着されている状態であると判定することを特徴とするヘッドホン制御装置。
【請求項３】
請求項２に記載のヘッドホン制御装置において、
前記装着状況判定手段によって前記ヘッドホンが使用者によって装着されていない状態であると判定した場合に、前記ヘッドホンを省電力モードに変化させる電力制御手段をさらに備えることを特徴とするヘッドホン制御装置。
【請求項４】
請求項３に記載のヘッドホン制御装置において、
前記電力制御手段は、前記装着状況判定手段によって前記ヘッドホンが使用者によって装着されていない状態であると判定した場合に、前記再生装置を省電力モードに変化させることを特徴とするヘッドホン制御装置。
【請求項５】
請求項２〜４のいずれか一項に記載のヘッドホン制御装置において、
前記計測手段による計測結果に基づいて、前記所定の閾値を校正する校正手段をさらに備えることを特徴とするヘッドホン制御装置。
【請求項６】
無線通信手段を備えたヘッドホンから出力される無線電波の受信電力値を計測し、
計測した前記ヘッドホンから出力される無線電波の受信電力値に基づいて、前記ヘッドホンの使用者への装着状況を判定することを特徴とするヘッドホン制御方法。
【発明の詳細な説明】
【技術分野】
【０００１】
本発明は、無線接続されたヘッドホンの装着状況を判定して、ヘッドホンの電源を制御するヘッドホン制御装置、およびヘッドホン制御方法に関する。
【背景技術】
【０００２】
次のような携帯無線端末が特許文献１によって知られている。この携帯無線端末によれば、携帯無線端末にヘッドホンを接続して音楽を再生する場合に、携帯無線端末からヘッドホンが取り外されたとき、または使用者がヘッドホンを耳から取り外したときに、携帯無線端末における音楽再生を停止する。
【０００３】
【特許文献１】特開２００３−０２３４７９号公報
【発明の開示】
【発明が解決しようとする課題】
【０００４】
しかしながら、従来の携帯無線端末においては、携帯無線端末からヘッドホンが取り外されたことを検出するためのセンサ、または使用者がヘッドホンを耳から取り外したことを検出するためのセンサを搭載する必要があり、コスト的に不利であるという問題が生じていた。
【課題を解決するための手段】
【０００５】
本発明は、無線通信手段を備えたヘッドホンから出力される無線電波の受信電力値を計測し、計測したヘッドホンから出力される無線電波の受信電力値に基づいて、ヘッドホンの使用者への装着状況を判定することを特徴とする。
【発明の効果】
【０００６】
本発明によれば、ヘッドホンから出力される無線電波の受信電力値に基づいてヘッドホンの使用者への装着状況を判定するようにした。これによって、ヘッドホンの使用者への装着状況を判定するためにセンサ等を設ける必要がなく、コスト的に有利となる。
【発明を実施するための最良の形態】
【０００７】
―第１の実施の形態―
図1は、第１の実施の形態におけるヘッドホン制御装置の車両への適用例を模式的に示した図である。このヘッドホン制御装置１００においては、ヘッドホン２００と音楽再生装置３００とが、例えばＢｌｕｅｔｏｏｔｈ（登録商標）通信などの無線通信によって接続されている。すなわち、ヘッドホン２００に搭載されたＢｌｕｅｔｏｏｔｈアンテナ２０１ａと、車内の天井に取り付けられた音楽再生装置３００用のＢｌｕｅｔｏｏｔｈアンテナ３０１ａとの間で通信を行って、音楽再生装置３００で再生した音楽をヘッドホン２００から出力する。
【０００８】
図２は、第１の実施の形態におけるヘッドホン制御装置１００の一実施の形態の構成を示すブロック図である。ヘッドホン制御装置１００は、上述したようにヘッドホン２００と、Ｂｌｕｅｔｏｏｔｈ通信を介してヘッドホン２００へ音声データを送信する音楽再生装置３００とを備えている。
【０００９】
ヘッドホン２００は、音楽再生装置３００とＢｌｕｅｔｏｏｔｈ通信を行うためのＢｌｕｅｔｏｏｔｈモジュール２０１と、ＣＰＵ、メモリ、およびその他周辺回路で構成される制御装置２０２とを備えている。
【００１０】
制御装置２０２は、後述するように、音楽再生装置３００からの指示に基づいて、ヘッドホン２００の電力モードを切り替える電力モード制御部２０２ａを有している。なお、この実施の形態では、ヘッドホン２００には、電力モードとして省電力モードと通常モードとがあり、音楽再生装置３００から送信されるコマンドに基づいて、省電力モードと通常モードとを切り替える機能があらかじめ実装されているものとする。
【００１１】
Ｂｌｕｅｔｏｏｔｈモジュール２０１には、Ｂｌｕｅｔｏｏｔｈアンテナ２０１ａが内蔵されている。このＢｌｕｅｔｏｏｔｈモジュール２０１は、ヘッドホン２００のアーム部中央に、Ｂｌｕｅｔｏｏｔｈアンテナ２０１ａの放射指向性が内向きとなるように搭載される。すなわち、ヘッドホンのアーム部中央の内側に搭載され、使用者がヘッドホン２００を装着したときに、アンテナの指向性が使用者の頭の方向となるようにレイアウトする。これによって、Ｂｌｕｅｔｏｏｔｈモジュール２０１は、ヘッドホン２００の非装着時に最も効率よくＢｌｕｅｔｏｏｔｈ信号を放射するが、ヘッドホン２００の装着時には使用者の頭に遮られ、周囲へのＢｌｕｅｔｏｏｔｈ信号の放射量は減少する。
【００１２】
図３（ａ）および（ｂ）は、ヘッドホン２００の非装着時、および非装着時におけるＢｌｕｅｔｏｏｔｈ信号の放射状況をそれぞれ模式的に示した図である。なお、この図３（ａ）および（ｂ）においては、Ｂｌｕｅｔｏｏｔｈ信号の周囲への放射量を矢印の太さで表しており、矢印が太いほど周囲への放射量が多い（放射が強い）ことを示している。
【００１３】
この図３（ａ）に示すように、ヘッドホン２００の非装着時には、アーム内側方向への放射３ａが最も強く、アーム外側方向の放射３ｂ、およびアーム内側から回り込んだ放射３ｃは、アーム内側方向への放射３ａに比べて弱くなるように設計されている。これに対して、ヘッドホン２００の装着時には、アーム内側方向への放射３ａは、使用者の頭３ｄによって遮られ、アーム外側方向の放射３ｂ、およびアーム内側から回り込んだ放射３ｃのみが周囲へ放射される。
【００１４】
音楽再生装置３００は、ヘッドホン２００とＢｌｕｅｔｏｏｔｈ通信可能な位置、例えば車両の天井にＢｌｕｅｔｏｏｔｈアンテナ３０１ａを設置したＢｌｕｅｔｏｏｔｈモジュール３０１と、ＣＰＵ、メモリ、およびその他周辺回路で構成される制御装置３０２と、デジタル音楽データ、例えば、ＭＰ３形式の音楽データを格納する音楽データストレージ３０３とを備えている。
【００１５】
制御装置３０２は、音楽再生部３０２ａと、受信電力計測部３０２ｂと、電力モード制御部３０２ｃとを有している。音楽再生部３０２ａは、音楽データストレージ３０３から音楽データを読み込んで再生し、Ｂｌｕｅｔｏｏｔｈモジュール３０１を介してヘッドホン２００へ音楽データを出力する。
【００１６】
受信電力計測部３０２ｂは、上述したヘッドホン２００のから放射される放射信号の強度、すなわちＢｌｕｅｔｏｏｔｈモジュール３０１による受信電力値を所定時間間隔で計測して、制御装置３０２が有するメモリ内に時系列データとして記憶していく。そして、この受信電力値の時系列データを監視して、受信電力値の変化を検出する。
【００１７】
図４は、受信電力計測部３０２ｂによって記憶される受信電力値の時系列データの一例を示す図である。この図４に示すように、ヘッドホン２００の電源がオンされ、ヘッドホン３００からＢｌｕｅｔｏｏｔｈ信号の出力が開始された時点、すなわち時点ｔ１でＢｌｕｅｔｏｏｔｈモジュール３０１による受信電力値の計測が開始される。そして、ヘッドホン２００が非装着時、すなわち時点ｔ１〜ｔ２の間おいては、受信電力の計測値は高い状態が維持され、この間の受信電力の平均値は、ヘッドホン非装着時の平均受信電力４ａとして算出される。
【００１８】
その後、時点ｔ２〜ｔ３に使用者によってヘッドホン２００が装着されると、上述したようにヘッドホン２００から放射されるＢｌｕｅｔｏｏｔｈ信号は使用者の頭に遮られて弱くなるため、ヘッドホン２００が装着時、すなわち時点ｔ３以降においては、受信電力の計測値は低く変化し、この間の受信電力の平均値は、ヘッドホン装着時の平均受信電力４ｂとして算出される。
【００１９】
なお、この実施の形態では、このヘッドホン装着時の平均受信電力４ｂとなる状態においてもヘッドホン２００と音楽再生装置３００との間のＢｌｕｅｔｏｏｔｈ通信が途切れることがないように、ヘッドホン装着時の平均受信電力４ｂがＢｌｕｅｔｏｏｔｈ通信確立限界値４ｃよりも大きくなるように、Ｂｌｕｅｔｏｏｔｈアンテナ３０１ａのレイアウトが設計されているものとする。
【００２０】
電力モード制御部３０２ｃは、上述した受信電力計測部３０２ｂによる計測結果に基づいて、受信電力の計測値が所定の閾値未満となった場合には、ヘッドホン２００が非装着状態から装着状態に変化したと判定する。また、逆に、受信電力の計測値が所定の閾値未満となった場合には、ヘッドホン２００が非装着状態から装着状態に変化したと判定する。なお、この実施の形態では、所定の閾値は装着状態と非装着状態との変化を検出するために十分な受信電力値の境界値があらかじめ設定されているものとする。
【００２１】
そして、使用者によるヘッドホン２００の装着状況が装着状態から非装着状態に変化したと判定した場合には、Ｂｌｕｅｔｏｏｔｈ通信経由でヘッドホン２００の電力モードを省電力モードに移行するコマンドを送信し、ヘッドホン２００を省電力モードに変化させる。同時に音楽再生装置３００の電力モードも省電力モードに移行させ、音楽再生部３０２ａによる音楽データの再生を停止する。
【００２２】
これに対して、使用者によるヘッドホン２００の装着状況が非装着状態から装着状態に変化したと判定した場合には、Ｂｌｕｅｔｏｏｔｈ通信経由でヘッドホン２００へ省電力モードから通常モードに復帰するコマンドを送信して、ヘッドホン２００の電力モードを通常モードに復帰させる。さらに音楽再生装置３００の電力モードも通常モードに復帰させ、音楽再生部３０２ａを制御して、音楽データストレージ３０３から音楽データを読み込んで再生し、Ｂｌｕｅｔｏｏｔｈ通信経由でヘッドホン２００へ音楽データを出力する。
【００２３】
これによって、使用者がヘッドホン２００を装着しているときには、音楽を再生してヘッドホン２００から出力することができ、使用者がヘッドホン２００を装着していないときには、自動的にヘッドホン２００、および音楽再生装置３００の電力モードを省電力モードに移行させて、それぞれの消費電力を抑えることができる。
【００２４】
図５は、第１の実施の形態におけるヘッドホン２００の処理を示すフローチャートである。図５に示す処理は、ヘッドホン２００の電源がオンされると起動するプログラムとして制御装置２０２により実行される。
【００２５】
ステップＳ１０において、音楽再生装置３００からＢｌｕｅｔｏｏｔｈ通信を介して省電力モードへの移行を指示するコマンドを受信したか否かを判断する。音楽再生装置３００から省電力モードへの移行を指示するコマンドを受信していないと判断した場合には、後述するステップＳ３０へ進む。これに対して、音楽再生装置３００から省電力モードへの移行を指示するコマンドを受信したと判断した場合には、ステップＳ２０へ進み、ヘッドホン２００の電力モードを省電力モードに切り替える。その後、ステップＳ３０へ進む。
【００２６】
ステップＳ３０では、音楽再生装置３００からＢｌｕｅｔｏｏｔｈ通信を介して通常モードへの移行を指示するコマンドを受信したか否かを判断する。音楽再生装置３００から通常モードへの移行を指示するコマンドを受信していないと判断した場合には、後述するステップＳ５０へ進む。これに対して、音楽再生装置３００から通常モードへの移行を指示するコマンドを受信したと判断した場合には、ステップＳ４０へ進み、ヘッドホン２００の電力モードを通常モードに復帰させる。その後、ステップＳ５０へ進む。
【００２７】
ステップＳ５０では、ヘッドホン２００の電源がオフされたか否かを判断する。ヘッドホン２００の電源がオフされていないと判断した場合には、ステップＳ１０へ戻って処理を繰り返す。これに対して、ヘッドホン２００の電源がオフされたと判断した場合には、処理を終了する。
【００２８】
図６は、第１の実施の形態における音楽再生装置３００の処理を示すフローチャートである。図６に示す処理は、音楽再生装置３００の電源がオンされると起動するプログラムとして制御装置３０２により実行される。
【００２９】
ステップＳ１１０において、受信電力計測部３０２ｂは、Ｂｌｕｅｔｏｏｔｈモジュール３０１による受信電力値の計測を開始して、ステップＳ１２０へ進む。ステップＳ１２０では、電力モード制御部３０２ｃは、受信電力値の時系列データに基づいて、受信電力の計測値が所定の閾値以上に変化したか、所定の閾値未満に変化したか、または閾値を跨いで変化しなかったかを判定する。
【００３０】
受信電力の計測値が所定の閾値以上に変化したと判断した場合には、ステップＳ１３０へ進む。ステップＳ１３０では、ヘッドホン２００は装着状態から非装着状態に変化したと判定して、ステップＳ１４０へ進み、音楽再生装置３００の電力モードを省電力モードに移行させると同時に、Ｂｌｕｅｔｏｏｔｈ通信経由でヘッドホン２００へ省電力モードに移行するコマンドを送信する。その後、ステップＳ１４１へ進み、音楽再生部３０２ａによる音楽データの再生を停止して、後述するステップＳ１７０へ進む。
【００３１】
また、受信電力の計測値が所定の閾値未満に変化したと判断した場合には、ステップＳ１５０へ進む。ステップＳ１５０では、ヘッドホン２００は非装着状態から装着状態に変化したと判定して、ステップＳ１６０へ進み、音楽再生装置３００の電力モードを通常モードに復帰させると同時に、Ｂｌｕｅｔｏｏｔｈ通信経由でヘッドホン２００へ通常モードに移行するコマンドを送信する。その後、ステップＳ１６１へ進み、音楽再生部３０２ａを制御して、音楽データストレージ３０３から音楽データを読み込んで再生し、Ｂｌｕｅｔｏｏｔｈ通信経由でヘッドホン２００へ音楽データを出力する。その後、後述するステップＳ１７０へ進む。
【００３２】
これに対して受信電力の計測値が閾値を跨いで変化しなかった場合には、そのままステップＳ１７０へ進む。ステップＳ１７０では、音楽再生装置３００の電源がオフされたか否かを判断する。音楽再生装置３００の電源がオフされていないと判断した場合には、ステップＳ１２０へ戻って処理を繰り返す。これに対して、音楽再生装置３００の電源がオフされたと判断した場合には、ステップＳ１８０へ進み、受信電力計測部３０２ｂは、Ｂｌｕｅｔｏｏｔｈモジュール３０１による受信電力値の計測を停止して、処理を終了する。
【００３３】
以上説明した第１の実施の形態によれば、以下のような作用効果を得ることができる。
（１）音楽再生装置３００は、使用者によるヘッドホン２００の装着、非装着を判定して、非装着時にはヘッドホン２００および音楽再生装置３００の電力モードを省電力モードに変化させて音楽データの再生を停止し、装着時にはヘッドホン２００および音楽再生装置３００の電力モードを通常モードに復帰させた後に、音楽データを出力するようにした。これによって、使用者がヘッドホン２００を装着しているときには、音楽を自動的に再生することができ、使用者がヘッドホン２００を装着していないときには、自動的にヘッドホン２００および音楽再生装置３００の電力モードを省電力モードに移行させて、それぞれの消費電力を抑えることができる。
【００３４】
（２）また、非装着時には省電力モードに切り替えるようにし、ヘッドホン２００および／または音楽再生装置３００の電源をオフするようにはしなかった。いずれかの電源をオフした場合には、その都度、ヘッドホン２００と音楽再生装置３００との間のＢｌｕｅｔｏｏｔｈ通信が切断されることになり、ヘッドホン２００が装着される度に再接続する必要が生じて、そのための待ち時間が発生する。これに対して、上述した実施の形態によれば、省電力モード時でもＢｌｕｅｔｏｏｔｈ通信を確立したままにして、通常モード復帰時の待ち時間の発生を防ぐことができる。
【００３５】
（３）ヘッドホン２００からのＢｌｕｅｔｏｏｔｈ通信の受信電力値を計測し、その受信電力値の変化に基づいてヘッドホン２００の装着／非装着を判定するようにした。これによって、ヘッドホン２００の装着／非装着を判定するために、電気的に検出するためのセンサ等を設ける必要がなく、コスト的に有利となる。
【００３６】
（４）ヘッドホン２００におけるＢｌｕｅｔｏｏｔｈモジュール２０１をヘッドホンのアーム部中央に配置し、Ｂｌｕｅｔｏｏｔｈアンテナ２０１ａの放射指向性が内向きとなるようにレイアウトするようにした。これによって、Ｂｌｕｅｔｏｏｔｈモジュール２０１は、使用者がヘッドホン２００を装着した場合には、周囲へのＢｌｕｅｔｏｏｔｈ信号の放射量が使用者の頭に遮られて減少するようにすることができ、使用者によるヘッドホン２００の装着／非装着を精度高く判定できる。
【００３７】
（５）ヘッドホン装着時の平均受信電力４ｂが常にＢｌｕｅｔｏｏｔｈ通信確立限界値４ｃよりも大きくなるように、Ｂｌｕｅｔｏｏｔｈアンテナ３０１ａのレイアウトを設計するようにした。これによって、ヘッドホン装着時においてもヘッドホン２００と音楽再生装置３００との間のＢｌｕｅｔｏｏｔｈ通信が途切れることがないようにすることができる。
【００３８】
―第２の実施の形態―
第２の実施の形態では、第１の実施の形態で電力モード制御部３０２ｃによってヘッドホン２００の装着または非装着を判定するために使用された所定の閾値を、受信電力計測部３０２ｂによって計測される受信電力に基づいて、校正する方法について説明する。すなわち、第１の実施の形態では、所定の閾値として、あらかじめ設定された閾値を用いる例について説明したが、第２の実施の形態では、この閾値を受信電波の実測値に基づいて、校正しながら使用する例について説明する。
【００３９】
なお、第２の実施の形態においては、図１のヘッドホン制御装置の車両への適用例を示す図、図３のヘッドホン２００の非装着時、および非装着時におけるＢｌｕｅｔｏｏｔｈ信号の放射状況を示す図、図４の受信電力値の時系列データを示す図、および図５に示すヘッドホン２００の処理を示すフローチャート図については、第１の実施の形態と同様のため説明を省略する。
【００４０】
図７は、第２の実施の形態におけるヘッドホン制御装置１００の一実施の形態の構成を示すブロック図である。なお、第１の実施の形態における図２と同様の構成要素については、同じ符号を付与し、相違点を中心に説明する。音楽再生装置３００における制御装置３０２は、ヘッドホン２００の装着／非装着を判定する際に用いる閾値を校正する校正部３０２ｄをさらに有している。
【００４１】
この校正部３０２ｄは、所定のタイミング、例えば電力モード制御部３０２ｃによって、ヘッドホン２００が装着状態に変化したと判定したタイミング、およびヘッドホン２００が非装着状態に変化したと判定したタイミングで、所定時間の間、第１の実施の形態で上述したヘッドホン２００の電源制御処理と並行して、校正モードによる処理を実行する。なお、所定のタイミングとしては、一定時間ごとに処理を実行するようにしてもよく、その他、任意のタイミングで実行するようにしてもよい。
【００４２】
すなわち、図８に示すように、例えばヘッドホン２００からの受信電力が低下して、ヘッドホン２００が装着状態に変化したと判定した場合に、時点ｔ１１で校正モードを開始する。そして、その後、所定時間が経過して、時点ｔ１２までの間、校正モードを継続し、当該校正モードの間の受信電力値を計測する。そして、その間の受信電力値の平均値８ａを装着状態の平均値として算出する。同様に、ヘッドホン２００が非装着状態に変化したと判定した場合にも校正モードの間の受信電力値の平均値を非装着時の平均値として算出する。
【００４３】
直近に算出した装着状態の平均値と非装着時の平均値の中間値を算出し、算出した中間値をヘッドホン２００の装着／非装着を判定する際に用いる閾値として決定する。例えば、直近に算出した装着状態の平均値が−６５ｄＢｍであり、直近に算出した非装着時の平均値が−４５ｄＢｍである場合には、その中間値−５５ｄＢｍが閾値として決定される。
【００４４】
電力モード制御部３０２ｃは、校正部３０２ｄで決定された閾値に基づいて、次のようにヘッドホン２００の装着／非装着を判定する。すなわち、受信電波が強い状態から、弱い状態へ変化し、当該閾値未満となった場合に、その閾値未満となった状態が所定時間、例えば１０秒間以上継続した場合には、ヘッドホン２００の装着状況は、非装着状態から装着状態へ変化したと判定する。これに対して、受信電波が弱い状態から、強い状態へ変化し、当該閾値以上となった場合に、その閾値以上となった状態が所定時間、例えば１０秒間以上継続した場合には、ヘッドホン２００の装着状況は、装着状態から非装着状態へ変化したと判定する。
【００４５】
これによって、ヘッドホン２００からの受信電力値の実測値に基づいて閾値を決定することができ、ヘッドホン制御装置１００の実使用環境における最適な閾値を決定して、精度高くヘッドホン２００の装着状況、すなわち使用者によるヘッドホン２００の装着／非装着を判定することができる。
【００４６】
図９は、第２の実施の形態における音楽再生装置３００の処理を示すフローチャートである。図９に示す処理は、音楽再生装置３００の電源がオンされると起動するプログラムとして制御装置３０２により実行される。なお、図９においては、図６に示す第１の実施の形態における音楽再生装置３００の処理と同一の処理内容については、同じステップ番号を付与し、相違点を中心に説明する。
【００４７】
ステップＳ１３１において、上述したように、校正部３０３ｄは、校正モードを実行して、その間の受信電力値の平均値を非装着時の平均値として算出する。そして、当該非装着時の平均値と、直近に算出した装着時の平均値との中間値を閾値として算出する。また、ステップＳ１５１において、校正部３０３ｄは、校正モードを実行して、その間の受信電力値の平均値を装着時の平均値として算出する。そして、当該装着時の平均値と、直近に算出した非装着時の平均値との中間値を閾値として算出する。
【００４８】
以上説明した第２の実施の形態によれば、第１の実施の形態における作用効果に加えて、以下のような効果を得ることができる。すなわち、ヘッドホン２００からの受信電力値の実測値に基づいて閾値を決定するようにしたため、ヘッドホン制御装置１００の実使用環境における最適な閾値を決定して、精度高くヘッドホン２００の装着状況を判定することができる。
【００４９】
―変形例―
なお、上述した実施の形態のヘッドホン制御装置は、以下のように変形することもできる。
（１）上述した第１および第２の実施の形態では、Ｂｌｕｅｔｏｏｔｈモジュール２０１は、図３に示すように、ヘッドホンのアーム部中央に、Ｂｌｕｅｔｏｏｔｈアンテナ２０１ａの放射指向性が内向きとなるように搭載される例について説明した。しかしこれに限定されず、例えば図１０に示すように、左右いずれか一方のハウジング部に、Ｂｌｕｅｔｏｏｔｈアンテナ２０１ａの放射指向性が内向きとなるように搭載してもよく、その他の位置にＢｌｕｅｔｏｏｔｈアンテナ２０１ａの放射指向性が内向きとなるように搭載してもよい。すなわち、Ｂｌｕｅｔｏｏｔｈアンテナ２０１ａの放射指向性が内向きとなり、使用者の装着時に放射されるＢｌｕｅｔｏｏｔｈ信号が減少するように搭載すればよい。
【００５０】
（２）上述した第１および第２の実施の形態では、ヘッドホン２００と音楽再生装置３００とが、Ｂｌｕｅｔｏｏｔｈ通信によって無線接続されている例について説明したが、これに限定されず、その他の通信規格による無線通信で接続するようにしてもよい。
【００５１】
（３）上述した第１および第２の実施の形態では、電力モード制御部３０２ｃは、ヘッドホン２００の使用者による装着状況に基づいて、ヘッドホン２００、および音楽再生装置３００の電力モードを制御する例について説明した。しかしこれに限定されず、ヘッドホン２００、および音楽再生装置３００の少なくともいずれか一方の電力モードを制御するようにしてもよく、ヘッドホン２００のみ、音楽再生装置３００のみ、またはヘッドホン２００および音楽再生装置３００の両方のうち、いずれのパターンで電力モードの制御を実行するかを使用者が選択できるようにしてもよい。
【００５２】
（４）上述した第１および第２の実施の形態では、ヘッドホン制御装置１００は、ヘッドホン２００と音楽再生装置３００とを無線接続し、音楽再生装置３００によってヘッドホン２００の電力モードを制御する例について説明した。しかしながら、音楽再生装置３００に限定されず、例えばＤＶＤ再生可能なオーディオシステムなど、その他のヘッドホンを無線接続して利用することができる種々の再生装置と、ヘッドホン２００を無線接続し、これらの再生装置によってヘッドホン２００の電力モードを制御するようにしてもよい。
【００５３】
（５）上述した第１および第２の実施の形態では、ヘッドホン制御装置１００を車両に搭載する例について説明したが、これに限定されず、他の移動体に搭載してもよく、一般的な室内環境に適用するようにしてもよい。
【００５４】
なお、本発明の特徴的な機能を損なわない限り、本発明は、上述した実施の形態における構成に何ら限定されない。
【００５５】
特許請求の範囲の構成要素と実施の形態との対応関係について説明する。Ｂｌｕｅｔｏｏｔｈモジュール２０１は無線通信手段に、装着状況判定手段、および電力制御手段は電力モード制御部３０２ｃに相当する。なお、以上の説明はあくまでも一例であり、発明を解釈する際、上記の実施形態の記載事項と特許請求の範囲の記載事項の対応関係に何ら限定も拘束もされない。
【図面の簡単な説明】
【００５６】
【図１】ヘッドホン制御装置の車両への適用例を模式的に示した図である。
【図２】第１の実施の形態におけるヘッドホン制御装置１００の一実施の形態の構成を示すブロック図である。
【図３】ヘッドホン２００の非装着時、および非装着時におけるＢｌｕｅｔｏｏｔｈ信号の放射状況をそれぞれ模式的に示した図である。
【図４】受信電力計測部３０２ｂによって記憶される受信電力値の時系列データの一例を示す図である。
【図５】ヘッドホン２００の処理を示すフローチャート図である。
【図６】第１の実施の形態における音楽再生装置３００の処理を示すフローチャート図である。
【図７】第２の実施の形態におけるヘッドホン制御装置１００の一実施の形態の構成を示すブロック図である。
【図８】第２の実施の形態における校正モードでの受信電力値の計測例を示す図である。
【図９】第２の実施の形態における音楽再生装置３００の処理を示すフローチャート図である。
【図１０】ヘッドホン２００へＢｌｕｅｔｏｏｔｈモジュール２０１を搭載する場合の変形例を示す図である。
【符号の説明】
【００５７】
１００  ヘッドホン制御装置
２００  ヘッドホン
２０１、３０１  Ｂｌｕｅｔｏｏｔｈモジュール
２０１ａ、３０１ａ  Ｂｌｕｅｔｏｏｔｈアンテナ
２０２、３０２  制御装置
２０２ａ  電力モード制御部
３００  音楽再生装置
３０２ａ  音楽再生部
３０２ｂ  受信電力計測部
３０２ｃ  電力モード制御部
３０２ｄ  校正部
３０３  音楽データストレージ
【図１】
2006352523.tif 000003
【図２】
2006352523.tif 000004
【図３】
2006352523.tif 000005
【図４】
2006352523.tif 000006
【図５】
2006352523.tif 000007
【図６】
2006352523.tif 000008
【図７】
2006352523.tif 000009
【図８】
2006352523.tif 000010
【図９】
2006352523.tif 000011
【図１０】
2006352523.tif 000012